【事件の表示】
　特願２０１３−　７８１７８「３ローター式ピッチングマシン」拒絶査定不服審判事件〔平成２６年１０月２７日出願公開、特開２０１４−２００４１７、請求項の数（３）〕について、次のとおり審決する。
【結　論】
　原査定を取り消す。
　本願の発明は、特許すべきものとする。
【理　由】
第１　手続の経緯
　本願は，平成２５年４月４日を出願日とする特許出願（特願２０１３−０７８１７８号）であって，平成２９年１月２４日付で拒絶の理由が通知され，同年３月３１日に意見書及び手続補正書が提出されたが，同年７月２６日付で拒絶の査定がなされ，同査定の謄本は，同年８月１日に請求人に送達された。
　これに対して，同年１０月３１日付で拒絶査定不服審判の請求がなされ，それと同時に手続補正書の提出がなされた。
　その後，当審において，平成３０年６月６日付けで拒絶理由が通知され，同年８月１０日に意見書が提出されたものである。
第２　平成２９年７月２６日付の拒絶の査定（以下，「原査定」という。）の拒絶の理由の概要
　原査定の拒絶の理由の概要は，本願の特許請求の範囲の請求項１に係る発明は，引用文献１に記載された発明であるから，特許法第２９条第１項第３号に該当するものであって，特許を受けることができない。
　本願の特許請求の範囲の請求項２に係る発明は，引用文献１及び２に記載の発明に基づいて，同請求項３に係る発明は，引用文献１ないし３に記載の発明に基づいて，当業者が容易に発明をすることができたものであるから，特許法第２９条第２項の規定により特許を受けることができないというものである。
　引用文献１：特開２０１０−２７３９３０号公報
　引用文献２：特開２００５−２２４３５６号公報
　引用文献３：特開２００６−６１２３１号公報
第３　当審拒絶理由の概要
　平成３０年６月６日付けで当審において通知した拒絶理由（以下，「当審拒絶理由」という。）の概要はつぎのとおりのものである。
　本件出願の請求項１及び２に係る発明は，引用文献１及び２に記載された発明に基づいて，請求項３に係る発明は，引用文献１ないし３に記載された発明に基づいて，当業者が容易に発明をすることができたものであるから，特許法第２９条第２項の規定により特許を受けることができない。 
　引用文献１：特開２０１０−２７３９３０号公報（原査定の拒絶理由で引用された引用文献１）
　引用文献２：特開２００５−２２４３５６号公報（原査定の拒絶理由で引用された引用文献２）
　引用文献３：特開２００６−６１２３１号公報  （原査定の拒絶理由で引用された引用文献３）
第４　本願発明 
　本件特許出願に係る請求項１ないし３に係る発明（以下，「本願発明１」ないし「本願発明３」という。）３は，平成２９年１０月３１日に提出された手続補正書により補正された特許請求の範囲の請求項１ないし３に記載された事項により特定されるつぎのとおりのものである。
【請求項１】
　ボールの投球方向周りに３つのローターを正面より見て逆Ｙ型に配置し，各ローターはそれぞれの回転を制御する回転駆動装置を備え，３つの前記ローターで挟持してボールを投球する３ローター式ピッチングマシンにおけるローター回転速度の設定方法であって，
　直球，変化球を問わず上側中央の前記ローターの回転速度に比べて下側左右の前記両ローターの回転速度が速くなるように設定することを特徴とするピッチングマシンにおけるローター回転速度の設定方法。
【請求項２】
　前記各ローターの全周面に，ウレタン樹脂層を有する請求項１記載のピッチングマシンにおけるローター回転速度の設定方法。
【請求項３】
　前記各ローターとそれらの回転駆動装置を共通の支持枠内に支持し，前記支持枠を支持台上に水平旋回可能に設置するとともに，前記支持枠の前記ボール投球方向を前記支持台に対し上下方向に調整可能に構成した請求項１または２記載のピッチングマシンにおけるローター回転速度の設定方法。
第５　引用文献，引用発明等（なお，引用箇所の摘示において，一部改行を省略した。）
　１　引用文献１：特開２０１０−２７３９３０号公報
　当審拒絶理由及び原査定の拒絶の理由において引用文献１として引用された引用文献１には，つぎの事項が記載されている。
　（１）「【技術分野】【０００１】　本発明は，ローター式ピッチングマシーンの改良に関するものであって，主として，３つの投球用ローターをＹ型に配置し，３つの投球用ローターによりボールを挟持し，投球用ローターの回転力にて，ボールを投球するピッチングマシーンにおいて，各々の投球用ローターの位置をローター取付体の回転により変化させて，種々の球種を，高いボールコントロール性を確保して投球することを可能とする３ローター式ピッチングマシーンに関するものである。」
　（２）「【背景技術】【０００２】　従来より，投球用ローターの回転力でボールを投球するのに，コントロールの安定を求めるため，３つの投球用ローターでボールを挟持して投球する３ローター式ピッチングマシーンが利用されていた。
・・・
【０００４】　各種球種を投手が投げる場合，投手の手によりボールに対し，種々の方向への回転を加えることが可能である。３つの投球用ローターで挟持し，投球用ローターの回転で投球する場合，投球用ローターでボールを圧縮することで安定した投球が可能となる他，各々の投球用ローターの回転スピードを変えて，球種を変えたりすることも可能であるが，斜め方向や進行方向への回転力を与えるなどの，微妙な変化を簡単なピッチングマシーンの構造で可能とするものは存在しなかった。」
　（３）「【課題を解決するための手段】【０００７】　第１の発明は，上記課題を解決するため，
ボール投球軸線を中心として回転固定可能なローター取付体に，３つの投球用ローターを取り付け，該３つの投球用ローターにてボールを挟持し，該投球用ローターの回転力によりボールを投球することを特徴とする３ローター式ピッチングマシーン
【発明の効果】【０００９】　本発明は，ボール投球軸線を中心として回転固定可能なローター取付体に，３つの投球用ローターを取り付け，
ローラー取付体（当審注：ローター取付体の誤記と認める。）を回転させることにより，投球されるボールに対する投球用ローターが接する方向を変化させることができる
各種球種を投球することが可能な３ローター式ピッチングマシーン
このローラー取付体（当審注：ローター取付体の誤記と認める。）の回転方向への変化は，投球用ローラー（当審注：投球用ローターの誤記と認める。）の回転数の変更制御や，投球用ローターの形状や材質の違いで異なった球種を設定するのに比べて容易
　（４）「【発明を実施するための形態】【００１２】　以下，図面に従って，実施例と共に本発明の実施の形態について説明する。図１は，３ローター式ピッチングマシーンの投球部の１実施例を示す斜視図であり，図２は，同正面説明図であり，図３は，同側面説明図であり，図４は，ローター取付体を回転固定させた状態の正面説明図である。
【００１３】　実施例にかかる３ローター式ピッチングマシーンの概要を説明する。３ローター式ピッチングマシーンは，図示されていない架台上に図１に示される投球部１を設けたものである。尚，図示されていない架台は，移動用の車輪が前後左右の３カ所又は４カ所に設置されるとともに，ボール発射方向を上下左右に調整する調整機能を有する従来の２ローター式ピッチングマシーンや３ローター式ピッチングマシーンに用いられているものと同様のものであるので詳細な説明は省略する。
【００１４】　投球部１は，各図に示されるように，本発明におけるローター取付体となる発射筒２と，発射筒２に取り付けられ支えられた３つの投球用ローター（第１投球用ローター３，第２投球用ローター４，第３投球用ローター５）と，ボールシューター６と，発射筒２をボール投球軸線２０を中心に回転させる駆動部７とよりなる。尚，図２では，第３投球用ローター５が前方にあるため，駆動部７が隠れて図示されていない。
【００１５】　発射筒２は，ボール投球軸線方向（図１及び図３中左右方向）に円筒状のもので，筒体内部２１を図２及び図４に示すように投球用のボールＢが通過可能な大きさとしている。発射筒２の中央部付近には，図１及び図３に示すように
Ｙ型に配置された第１投球用ローター３，第２投球用ローター４，第３投球用ローター５
　（５）「【００２１】　以下，３ローター式ピッチングマシーンの投球部１の動作について説明する。
　まず，ボール溜まりより１個ずつ供給されるボールＢは，ボールシューター６に案内され，発射筒２内のボール挿入空間に配球される。ボール挿入空間において，ボールＢは第１投球用ローター３，第２投球用ローター４，第３投球用ローター５の外周面で挟持される。
【００２２】　この時，
ボールＢと第１投球用ローター３，第２投球用ローター４，第３投球用ローター５の外周面の接触は図２に示されるように，第１投球用ローター３は，ボールＢに対して左斜め上方より接し，第２投球用ローター４は，ボールＢに対して右斜め上方より接し，第３投球用ローター５は，ボールＢに対して真下より接し
【００２３】　この時，
第１投球用ローター３，第２投球用ローター４，第３投球用ローター５は，ローター駆動用の投球用モータＭにより外方向（投球方向）への回転力を与えられ
ボールＢはボール投球軸線方向に投球され
各投球用ローター３，４，５とボールＢの接触が上記図２のようであれば，ボールＢに対し真下から接している第３投球用ローター５の回転数を上げたり，ボールＢに対する圧力を上げたりすることにより，ボールＢはボール投球軸線方向と逆方向に回転しながら発射され，ホップした球種となって投球され
　（６）「【００２５】　
球種の変更を行う場合
【００２６】　
発射筒２を図４に示される位置まで回転させ固定すると，ボールＢと第１投球用ローター３，第２投球用ローター４，第３投球用ローター５の外周面の接触は図４に示されるように，第１投球用ローター３は，ボールＢに対して真上より接し，第２投球用ローター４は，ボールＢに対して右斜め下より接し，第３投球用ローター５は，ボールＢに対して左斜め下より接し
【００２７】　
この状態で，ボールを投球するに際し，ボールＢに対し真上から接している第１投球用ローター３の回転数を上げたり，ボールＢに対する圧力を上げたりすることにより，ボールＢはボール投球軸線方向に回転しながら発射され，下方へと変化する球種となって投球される
　（７）図１
　（８）図２
　（９）図４
　（１０）図２には，第１投球用ローター３，第２投球用ローター４及び第３投球用ローター５がＹ字型に配置されている様が，図４には，第１投球用ローター３，第２投球用ローター４及び第３投球用ローター５が，逆Ｙ字型に配置されている様が看て取れる。
　（１１）上記（６）によれば，「発射筒２を図４に示される位置まで回転させ固定」することで，「ボールＢと第１投球用ローター３，第２投球用ローター４，第３投球用ローター５の外周面の接触は図４に示されるように，第１投球用ローター３は，ボールＢに対して真上より接し，第２投球用ローター４は，ボールＢに対して右斜め下より接し，第３投球用ローター５は，ボールＢに対して左斜め下より接」することとなり，図４を参照すれば，この時の３つのローターの配置は逆Ｙ字型に配置されているものといえる。
　そして，「この状態」で，「ボールを投球するに際し，ボールＢに対し真上から接している第１投球用ローター３の回転数を上げたり」「することにより，ボールＢはボール投球軸線方向に回転しながら発射され，下方へと変化する球種となって投球され」ることが記載されていることからすれば，第１投球用ローターの回転数を上げること（ここでの回転数を上げるとは，その他のローターの回転数と比べて回転数を上げることであることは自明である）により，下方へと変化する球種を投球する回転設定方法が記載されているものということができる。
  （１２）してみると，引用文献１には，「ボール投球軸線を中心として回転固定可能なローター取付体に，３つの投球用ローターを取り付け，該３つの投球用ローターにてボールを挟持し，該投球用ローターの回転力によりボールを投球することを特徴とする３ローター式ピッチングマシーンにおいて，ローター取付体を回転させることにより，投球されるボールに対する投球用ローターが接する方向を変化させることにより，各種球種を投球することが可能で，発射筒を回転させ固定し逆Ｙ型に配置された第１投球用ローター，第２投球用ローター，第３投球用ローターの外周面は，第１投球用ローターは，ボールに対して真上より接し，第２投球用ローターは，ボールに対して右斜め下より接し，第３投球用ローターは，ボールに対して左斜め下より接し，この状態で，ボールを投球するに際し，ボールに対し真上から接している第１投球用ローターの回転数を上げることにより，ボールはボール投球軸線方向に回転しながら発射され，下方へと変化する球種を投球する回転設定方法。」の発明（以下，「引用発明１」という。）が記載されているものと認められる。
  （１３）また，上記（５）の記載によれば，引用文献１には，「ボール投球軸線を中心として回転固定可能なローター取付体に，３つの投球用ローターを取り付け，該３つの投球用ローターにてボールを挟持し，該投球用ローターの回転力によりボールを投球することを特徴とする３ローター式ピッチングマシーンにおいて，発射筒を回転させ固定しＹ型に配置された第１投球用ローター，第２投球用ローター，第３投球用ローターの外周面は，第１投球用ローターは，ボールに対して左斜め上方より接し，第２投球用ローターは，ボールに対して右斜め上方より接し，第３投球用ローターは，ボールに対して真下より接し，ボールに対し真下から接している第３投球用ローターの回転数を上げることにより，ボールはボール投球軸線方向と逆方向に回転しながら発射され，ホップした球種を投球する回転設定方法。」（以下，「引用文献１Ｙ字回転設定方法」という。）が記載されているものと認められる。　
　２　引用文献２：特開２００５−２２４３５６号公報
　原査定及び当審拒絶理由において引用された引用文献２には，次の事項が記載されている。
　（１）「【００１３】　
ボール供給装置３の前方に配置のボール投出装置４は，垂直回転ホイール２８とこの垂直回転ホイール２８に対して後方から見て右側に１２０度回転して斜め上に配置された右傾斜回転ホイール２９と左側に１２０度回転して斜め上に配置された左傾斜回転ホイール３０がホイール枠２１に配設され，互いのホイール面を三角形状に対面配置し
対面配置する三角形状のホイール面の間隙にボール供給装置３から供給されたボールを通過させ
回転力及び球速を付与して前方に投出する
【００１４】　上記の装置において，ボール供給装置３の垂直回転ホイール２８と右傾斜回転ホイール２９と左傾斜回転ホイール３０はそれぞれモータ３１を有し，それぞれのモータ３１からベルト伝動機構３２により独立して制御されて回転される。さらにボール供給装置３の上ホイール２６と下ホイール２７は垂直回転ホイール２８のモータ３１からベルト伝動機構３２により駆動される。」
  （２）「【００１９】　この発明のピッチングマシーン１の操作方法について説明する。ピッチングマシーン１をバッターボックスから所定の距離，例えば１８ｍ，離れた位置にボール通路枠２５を後方に向けて設置する。さらにピッチングマシーン１のボール通路枠２５へボールを供給するボール供給手段をボール通路枠２５の後部に設置する。これらのピッチングマシーン１の設置準備が終了すると，ピッチングマシーン１は図５のブロック図に示すボール制御手段を有する制御ボックス１３と球種選別指示盤１４により操作される。この場合，素人が打者として練習するバッティングセンターなどでは，バッターボックスの近くにも球種選別指示盤を補助的に設ける。ボールの速度は素人用には毎時１００キロメートル前後に設定する。この場合は，表１に示すように球種選別指示盤１４から各球種と速度により１０種のボールの速度を設定可能とし，本発明の場合，球種選別指示盤１４の１０個の押しボタンを選択することにより，１０種の球種を選択することができる。また，付設の球速変更ボタンを押すことにより，球速を毎時１００キロメートル前後の低速と，下記に説明するプロの野球選手やアマの野球選手でも程度の高い人などの高速の毎時１３５キロメートル前後に切り換えることができる。
【００２０】
【表１】
【００２１】  この表１は，素人用のボールの速度が毎時８０〜１３０キロメートル前後の場合の各球種を定める際におけるボール投出装置４の垂直回転ホイール２８と右傾斜回転ホイール２９と左傾斜回転ホイール３０のそれそれのホイールの毎分当たりの回転数を示している。」
  （３）表１には，ストレート，スライダー，シュートの各球種について垂直回転ホイールの回転速度を右傾斜回転ホイール及び左傾斜回転ホイールの回転速度よりも大きく設定することが読み取れる。
　（４）上記（１）ないし（３）によれば，引用文献２には，「ボール供給装置の前方に配置のボール投出装置は，垂直回転ホイールとこの垂直回転ホイールに対して後方から見て右側に１２０度回転して斜め上に配置された右傾斜回転ホイールと左側に１２０度回転して斜め上に配置された左傾斜回転ホイールがホイール枠に配設され，互いのホイール面を三角形状に対面配置し，対面配置する三角形状のホイール面の間隙にボール供給装置から供給されたボールを通過させ回転力及び球速を付与して前方に投出するよう構成されているピッチングマシーンの各回転ホイールの回転速度を操作して球種と速度により１０種のボールの速度を設定可能とするものにおいて，ストレート，スライダー，シュートの各球種について垂直回転ホイールの回転速度を右傾斜回転ホイール及び左傾斜回転ホイールの回転速度よりも大きく設定する設定方法。」が記載されているものと認められる。
　３　引用文献３：特開２００６−６１２３１号公報  
　原査定及び当審拒絶理由において引用された引用文献３には次の事項が記載されている。
　（１）「【００１６】　本発明の基本的な構成は，図１に示すように，
３個のローラ１，２，３が作るボール挿入空間５と，該ボール挿入空間５内に挿入されたボール４に初速および回転を付与する前記３個のローラ１，２，３を各別に回転制御する各駆動装置Ｍ１，Ｍ２，Ｍ３と，これら３個のローラ１，２，３および駆動装置Ｍ１，Ｍ２，Ｍ３が搭載された構造台６を有するピッチングマシンＰにおいて，前記構造台６を上下および左右に所定角度で揺動可能に駆動する方向制御駆動部Ｍ４，Ｍ５を設けたことを特徴とするものである
　（２）「【実施例】【００１７】　図１に示すように，製作した新型のピッチングマシンＰは，コンピュータ８およびコントローラ１１等の制御部とともに制御システムを構成する。コンピュータ８には階層型ニューラルネットワーク（ＮＮ）および投球決定プログラム１０等が格納さている。試作品の写真図を図２に示す。図１から分かるように，ボール４は発射位置周りに１２０°間隔でＹ字型に設置された３個のゴム製のローラ１，２，３の外周面との摩擦力を利用して発射される。
各ローラ１，２，３にはそれぞれ駆動装置であるモータＭ１，Ｍ２，Ｍ３が設置されており，Ｖベルトを介して連動し回転数は０〜２３００ｒｐｍまで可変でき，各モータＭ１，Ｍ２，Ｍ３は各々独立（各別）に回転制御される
【００１８】　さらに，ボール４を任意の目標範囲に投げ分けるため，ピッチングマシンＰの下部に方向制御駆動部を構成するモータＭ４およびＭ５を設置した。前記ローラ１，２，３および駆動装置であるモータＭ１，Ｍ２，Ｍ３ならびにピッチングマシンＰの上下角θを調整する駆動モータＭ４は構造台６に設置され，該構造台６の左右角φを調整する駆動モータＭ５は構造台６の下部の台車７に設置される。これらの駆動モータＭ４，Ｍ５の設置位置を交替してもよい。ピッチングマシンＰ本体の上下角θを−６°〜＋６°，左右角φを−５°〜＋５°まで可変できるようにした。これらの新機構を採用した新型ピッチングマシンでは，最高速１６０ｋｍ／ｈまでの任意の球速で，かつ広範囲の希望する目標範囲に，任意の球種のボールを投球することが可能である。」
　（３）図１
　（４）上記（１）及び（２）並びに図１によれば，引用文献３には，「３個のローラが作るボール挿入空間と，該ボール挿入空間内に挿入されたボールに初速および回転を付与する前記３個のローラを各別に回転制御する各駆動装置と，これら３個のローラおよび駆動装置が搭載された構造台を有するピッチングマシンにおいて，前記構造台を上下および左右に所定角度で揺動可能に駆動する方向制御駆動部を設ける」技術について記載されているものと認める。
第６　対比・判断
　１　本願発明１について
　（１）対比
　本願発明１と引用発明１とを対比する。
　ア　引用発明１の「ボール投球軸線を中心として回転固定可能なローター取付体に，３つの投球用ローターを取り付け，該３つの投球用ローターにてボールを挟持し，該投球用ローターの回転力によりボールを投球することを特徴とする３ローター式ピッチングマシーン」は，本願発明１の「ボールの投球方向周りに３つのローターを」「配置し，各ローターはそれぞれの回転を制御する回転駆動装置を備え，３つの前記ローターで挟持してボールを投球する３ローター式ピッチングマシン」に相当する。
　イ　引用発明１の「ローター取付体を回転させることにより，投球されるボールに対する投球用ローターが接する方向を変化させることにより，各種球種を投球することが可能で，発射筒を回転させ固定し逆Ｙ型に配置された第１投球用ローター，第２投球用ローター，第３投球用ローターの外周面は，第１投球用ローターは，ボールに対して真上より接し，第２投球用ローターは，ボールに対して右斜め下より接し，第３投球用ローターは，ボールに対して左斜め下より接し，この状態で，ボールを投球する」ことは，本願発明１の「ボールの投球方向周りに３つのローターを正面より見て逆Ｙ型に配置し，各ローターはそれぞれの回転を制御する回転駆動装置を備え，３つの前記ローターで挟持してボールを投球する」ことに相当する。
　ウ　本願発明１の「直球，変化球を問わず上側中央の前記ローターの回転速度に比べて下側左右の前記両ローターの回転速度が速くなるように設定することを特徴とするピッチングマシンにおけるローター回転速度の設定方法」と引用発明１の「ボールを投球するに際し，ボールに対し真上から接している第１投球用ローターの回転数を上げることにより，ボールはボール投球軸線方向に回転しながら発射され，下方へと変化する球種を投球する回転設定方法」とは，「各ローターの回転速度を異なる回転速度に設定するローター回転速度の設定方法」との概念に限り共通するものといえる。
　エ　してみると，本願発明１と引用発明１とは，つぎの一致点で一致し，相違点において相違する。
＜一致点＞
　「ボールの投球方向周りに３つのローターを正面より見て逆Ｙ型に配置し，各ローターはそれぞれの回転を制御する回転駆動装置を備え，３つの前記ローターで挟持してボールを投球する３ローター式ピッチングマシンにおけるローター回転速度の設定方法であって，各ローターの回転速度を異なる回転速度に設定するローター回転速度の設定方法」である点。
＜相違点＞
　本願発明１は，「直球，変化球を問わず上側中央の前記ローターの回転速度に比べて下側左右の前記両ローターの回転速度が速くなるように設定する」ものであるのに対して，引用発明１は「下方へと変化する球種」を投球する際に「ボールに対し真上から接している第１投球用ローターの回転数を上げる」ものである点。
　（２）相違点についての検討
　ア　相違点を検討するに当たり，本願発明１の「直球，変化球を問わず上側中央の前記ローターの回転速度に比べて下側左右の前記両ローターの回転速度が速くなるように設定する」ことの技術的意義について検討する。
　本願明細書の段落【０００７】及び【０００８】の記載によれば，本願発明は，下側２つ・中央上１つの逆Ｙ型のローター配置として，下側の左右のローターの回転を上側の一つのローターよりも早くすることにより，従来の上側２つ・中央下１つのＹ型ロータ配置よりも下側ローターの滑りが生じにくく，ボールに下側の左右のローターによる回転力が確実に伝達されることで，球速を速くしても特に直球がホームベース上でおじぎすることがなく，ボールがホップアップするように伸び，スピンのきいた切れのよい投球ができるという技術的意義を有するものといえる。
　イ　引用文献１には，上記第５の１（１３）の「引用文献１Ｙ字回転設定方法」として，「ボールに対し真下から接している第３投球用ローターの回転数を上げることにより，ボールはボール投球軸線方向と逆方向に回転しながら発射され，ホップした球種を投球する」ことが記載されているものの，引用文献１においては，引用発明１として認定したところの「３つのローターを逆Ｙ型に配置」した態様は，下方へと変化する球種を投球するためであるから，回転数を他のローターの回転数よりも上げるローターを，「ボールに対し真上から接している第１投球用ローター」から，「ボールに対して右斜め下より接する第２投球用ローター及びボールに対して左斜め下より接する第３投球用ローター」とすることには，阻害要因があるものというべきである。
　ウ　上記第５の２（４）のとおり，引用文献２には，「ボール供給装置の前方に配置のボール投出装置は，垂直回転ホイールとこの垂直回転ホイールに対して後方から見て右側に１２０度回転して斜め上に配置された右傾斜回転ホイールと左側に１２０度回転して斜め上に配置された左傾斜回転ホイールがホイール枠に配設され，互いのホイール面を三角形状に対面配置し，対面配置する三角形状のホイール面の間隙にボール供給装置から供給されたボールを通過させ回転力及び球速を付与して前方に投出するよう構成されているピッチングマシーン」の各回転ホイールの回転速度を操作して球種と速度により１０種のボールの速度を設定可能とするものにおいて，ストレート，スライダー，シュートの各球種について垂直回転ホイールの回転速度を右傾斜回転ホイール及び左傾斜回転ホイールの回転速度よりも大きく設定する設定方法」が記載されているものと認められるものの，当該技術も，上記「引用文献１Ｙ字回転設定方法」と同様，ボールに対し真下に接している第３投球用ローターの回転速度を他ローターの速度よりも大きく設定する」ものであって，本願発明１のように「上側中央の前記ローターの回転速度に比べて下側左右の前記両ローターの回転速度が速くなるように設定する」ものではない。
　エ　また，「引用発明１Ｙ字回転設定方法」や引用文献２に記載の技術事項から，ホップした球種を投球するにはボールの下側に接するローターの回転速度を上側のローターの回転速度よりも速くなるよう設定すれば良いことが当業者にとって理解できる結果，当該技術が周知の技術事項であるものであり，たとえ，そのような周知の技術事項を引用発明１の逆Ｙ字型のローターの配置態様において適用することが容易になし得るものであったとしても，本願発明が奏する「球速を速くしても特に直球がホームベース上でおじぎすることがなく，ボールがホップアップするように伸び，スピンのきいた切れのよい投球ができる」という効果が，引用文献１や周知の技術事項から当業者予測し得るものとする根拠はない。
　オ　なお，引用文献３には，「上側中央の前記ローターの回転速度に比べて下側左右の前記両ローターの回転速度が速くなるように設定する」ことについては記載されていない。
　カ　上記のとおりであるから，引用発明１において，「下方へと変化する球種」を投球する際に「ボールに対し真上から接している第１投球用ローターの回転数を上げる」ことを，「直球，変化球を問わず上側中央の前記ローターの回転速度に比べて下側左右の前記両ローターの回転速度が速くなるように設定する」ようにし，本願発明１の相違点１に係る構成のようにすることは，当業者が容易になし得るものということはできない。
　そして効果についてもみても，上記エで既に検討したように，当該相違点により，本願発明１は，「球速を速くしても特に直球がホームベース上でおじぎすることがなく，ボールがホップアップするように伸び，スピンのきいた切れのよい投球ができる」という格別の効果を奏するものである。
　（３）小括　
　以上の次第であるから，本願発明１は，当業者であっても，引用文献１に記載の発明及び引用文献２及び３に記載のものに基づいて容易に発明をすることができたものということはできない。
  なお，本願発明１と引用発明１との間には，相違点が存在する以上，原査定の理由を維持することはできない。
　２　本願発明２及び３について
　請求項２及び３は，上記第４で説示したように，請求項１を引用するものであるから，本願発明２及び３は，いずれも本願発明１の発明特定事項を含むものであって，引用発明１とは，上記１の（１）エの相違点において少なくとも相違するものであり，当該相違点に係る構成が容易に想到し得るものということができないことは，上記１（２）のとおりであるから，本願発明１と同様の理由により，当業者であっても引用発明１及び引用文献２及び３に記載のものに基づいて当業者が容易に発明をすることができたものということはできない。
　そして，本願発明２及び３については，原査定の理由と当審拒絶理由とは同様の理由であるから，原査定の理由も維持することはできない。
第７　むすび
  以上のとおりであるから，本願は，原査定の理由及び当審拒絶理由によっては，拒絶することはできない。
　また，他に本願を拒絶すべき理由を発見しない。
　よって，上記結論のとおり審決する。